(57)【要約】生ドラムセットの各パーツに対応して設けられた第１の原音発生部（１００）からの打撃音および減衰音をピックアップマイクなどのマイクロフォンで受け、音調整部（２６）がこのマイクロフォンからの電気音についてデジタル変換を伴わないアナログ音のままの音質調整を行う。そして、音調整部（２６）からの出力音に基づいて、再生部（３４）により再生を行う。デジタル変換処理、フォトカプラなどを介した信号の伝達、さらに、予め録音した音の選択、再生などの動作が行われないので、演奏者が打撃動作から演奏音発生までにおけるタイムラグを意識しないようになり、第１の原音発生部（１００）を叩いた時に生ずる打撃音および減衰音を原音として利用するので、演奏者の微妙な打撃手法に追随した再生が達成される。
2002021504.tif 000002
【特許請求の範囲】
【請求項１】
生ドラムセットの各パーツに対応して設けられ、打撃面を備えた第１の原音発生部と、
前記第１の原音発生部からの打撃音および減衰音を電気的に増幅させ得るマイクロフォンと、
前記マイクロフォンからの電気音についてデジタル変換することなくアナログ音のまま音質調整を行う音調整部と、
前記音調整部からの出力音に基づいて音再生を行う再生部とを備えたことを特徴とするアナログ電子ドラムセット。
【請求項２】
前記各第１の原音発生部は、対応するドラムパーツの本来の音質に近い音質の打撃音を発する材質にて形成されたことを特徴とする請求項１記載のアナログ電子ドラムセット。
【請求項３】
第１のタムドラムの口径が６インチ、第２のタムドラムの口径が８インチ、第３のタムドラムの口径が１０インチ、バスドラムの口径が１２〜１４インチ、スネアードラムの口径が８インチ、ハイハットシンバルの口径が６〜８インチ、クラッシュシンバルの口径が８〜１０インチ、ライドシンバルの口径が１０〜１２インチに設定されていることを特徴とする請求項１記載のアナログ電子ドラムセット。
【請求項４】
請求項３記載のアナログ電子ドラムセットの演奏に用いられるドラムスティックであって、
全長が３９〜４５ｃｍ、先端に位置する打撃部の径が３．５〜４ｍｍで長さが８〜１０ｍｍ、本体部の径が８〜１０ｍｍで長さが２３〜３５ｃｍ、前記打撃部と前記本体部との境界である括れ部の径が２〜２．５ｍｍ、前記括れ部から徐々に径が広がって前記本体部に至る拡径部の長さが１０〜１５ｃｍ、質量が１２〜１８ｇであることを特徴とするドラムスティック。
【請求項５】
生ドラムセット中のドラム系のパーツに対応するアナログ電子ドラムセット用パーツであって、
打撃面を備えるとともに共鳴室を持たない第１の原音発生部と、
前記第１の原音発生部からの打撃音および減衰音を電気的に増幅させ得るマイクロフォンとを有することを特徴とするアナログ電子ドラムセット用パーツ。
【請求項６】
前記打撃面は金属部材を含む部材を張ることにより形成され、前記マイクロフォンは前記打撃面に磁力により取り付けられていることを特徴とする請求項５記載のアナログ電子ドラムセット用パーツ。
【請求項７】
前記打撃面の裏面にはスナッピーが設けられ、前記スナッピーの前記打撃面の裏面に対する触れ具合および接触、非接触が調節可能とされていることを特徴とする請求項５記載のアナログ電子ドラムセット用パーツ。
【請求項８】
生ドラムセット中のバスドラムに対応するアナログ電子ドラムセット用パーツであって、
足裏により直接的に打撃可能な打撃面を備えるとともに共鳴室を持たない第１の原音発生部と、
前記第１の原音発生部からの打撃音および減衰音を電気的に増幅させ得るマイクロフォンとを備えたことを特徴とするアナログ電子ドラムセット用パーツ。
【請求項９】
前記打撃面は水平方向に設置されることを特徴とする請求項８記載のアナログ電子ドラムセット用パーツ。
【請求項１０】
請求項８記載のアナログ電子ドラムセット用パーツに用いられるフットペダルユニットであって、
所定の回転方向に付勢された滑車と、
下方に踏みつけることにより付勢力に抗して前記滑車を回動させるフットペダルと、
前記滑車に取り付けられて前記フットペダルの側方に位置し、前記滑車の回動により手前下方に揺動して打撃面を打撃し得るようにした打撃棒とを備えたことを特徴とするフットペダルユニット。
【請求項１１】
前記フットペダルユニットはメインスタンドに固定されていることを特徴とする請求項１０記載のフットペダルユニット。
【請求項１２】
前記滑車は２個並列に設けられて同期回動することを特徴とする請求項１０記載のフットペダルユニット。
【請求項１３】
前記マイクロフォンは磁性体の振動を電気的に増幅させ得るピックアップマイクであり、
前記打撃面には、磁性体から構成されて前記打撃面の振動に追随して振動する振動源が前記ピックアップマイクに対応して設けられ、
前記ピックアップマイクは前記振動源の振動を電気的に増幅させることを特徴とする請求項５記載のアナログ電子ドラムセット用パーツ。
【請求項１４】
前記振動源は、前記打撃面の裏面に接着されていることを特徴とする請求項１３記載のアナログ電子ドラムセット用パーツ。
【請求項１５】
前記振動源は、前記打撃面の裏面に圧接されていることを特徴とする請求項１３記載のアナログ電子ドラムセット用パーツ。
【請求項１６】
前記振動源の前記打撃面に対する圧接力およびピックアップマイクに対する距離が調節可能となっていることを特徴とする請求項１５記載のアナログ電子ドラムセット用パーツ。
【請求項１７】
前記ピックアップマイクは前記振動源に対して接近離反可能に設けられていることを特徴とする請求項１３記載のアナログ電子ドラムセット用パーツ。
【請求項１８】
前記マイクロフォンは磁性体の振動を電気的に増幅させ得るピックアップマイクであり、
前記打撃面は磁性体を含む部材により構成され、
前記ピックアップマイクは前記打撃面の振動を電気的に増幅させることを特徴とする請求項５記載のアナログ電子ドラムセット用パーツ。
【請求項１９】
前記ピックアップマイクは前記打撃面に対して接近離反可能に設けられていることを特徴とする請求項１８記載のアナログ電子ドラムセット用パーツ。
【請求項２０】
前記マイクロフォンは前記打撃面の反対側に設置されていることを特徴とする請求項５記載のアナログ電子ドラムセット用パーツ。
【請求項２１】
前記ピックアップマイクは前記打撃面の反対側に設置されていることを特徴とする請求項１３記載のアナログ電子ドラムセット用パーツ。
【請求項２２】
前記ピックアップマイクは前記打撃面の反対側に設置されていることを特徴とする請求項１８記載のアナログ電子ドラムセット用パーツ。
【請求項２３】
前記ピックアップマイクおよびこれに対応する前記振動源は演奏者から見て前記打撃面の向かい側の縁から当該打撃面の中央方向に２０〜４５％寄った位置に設置されていることを特徴とする請求項１３記載のアナログ電子ドラムセット用パーツ。
【請求項２４】
生ドラムセット中のシンバル系のパーツに対応するアナログ電子ドラムセット用パーツであって、
両端が開口された金属製の筒体にて形成された第１の原音発生部と、
前記第１の原音発生部からの打撃音および減衰音を電気的に増幅させ得るマイクロフォンとを備えたことを特徴とするアナログ電子ドラムセット用パーツ。
【請求項２５】
生ドラムセット中のシンバル系のパーツに対応するアナログ電子ドラムセット用パーツであって、
金属製の円盤状部材にて形成された第１の原音発生部と、
前記第１の原音発生部からの打撃音および減衰音を電気的に増幅させ得るマイクロフォンとを備えたことを特徴とするアナログ電子ドラムセット用パーツ。
【請求項２６】
前記マイクロフォンは磁性体の振動を電気的に増幅させ得るピックアップマイクであり、
金属製の前記第１の原音発生部は磁性体を含む部材により構成され、
前記ピックアップマイクは前記第１の原音発生部の振動を電気的に増幅させることを特徴とする請求項２５記載のアナログ電子ドラムセット用パーツ。
【請求項２７】
前記ピックアップマイクは前記第１の原音発生部に対して接近離反可能に設けられていることを特徴とする請求項２６記載のアナログ電子ドラムセット用パーツ。
【請求項２８】
生ドラムセット中のシンバル系のパーツに対応するアナログ電子ドラムセット用パーツであって、
金属製で且つ磁性体を含まない円盤状部材にて形成された第２の原音発生部と、
磁性体を含んで前記第２の原音発生部に当接され、前記第２の原音発生部の振動により共振する振動源と、
前記振動源の振動を電気的に増幅させ得るピックアップマイクとを備えたことを特徴とするアナログ電子ドラムセット用パーツ。
【請求項２９】
前記ピックアップマイクは前記第２の原音発生部に当接された振動源に対して、接近離反可能に設けられていることを特徴とする請求項２８記載のアナログ電子ドラムセット用パーツ。
【請求項３０】
生ドラムセット中のシンバル系のパーツに対応するアナログ電子ドラムセット用パーツであって、
金属製で且つ磁性体を含まない円盤状部材にて形成された上側に位置する第２の原音発生部と、
前記第２の原音発生部と相互に離反させる方向に前記第２の原音発生部との取付軸周りに取り付けられたばね力で付勢され、金属製で磁性体を含む円盤状部材にて形成された下側に位置する第１の原音発生部と、
前記第１の原音発生部の振動を電気的に増幅させ得るピックアップマイクとを備えたことを特徴とするアナログ電子ドラムセット用パーツ。
【請求項３１】
生ドラムセット中のドラム系のパーツに対応するアナログ電子ドラムセット用パーツであって、
打撃面ならびにこの打撃面と筐体とで形成された中空構造の共鳴室を備えた第２の原音発生部と、
前記第２の原音発生部からの打撃音を電気的に増幅させ得るマイクロフォンとを有することを特徴とするアナログ電子ドラムセット用パーツ。
【請求項３２】
前記打撃面は金属部材を含む部材を張ることにより形成され、前記マイクロフォンは前記打撃面に磁力により取り付けられていることを特徴とする請求項３１記載のアナログ電子ドラムセット用パーツ。
【請求項３３】
前記マイクロフォンは磁性体の振動を電気的に増幅させ得るピックアップマイクであり、
前記打撃面には、磁性体から構成されて前記打撃面の振動に追随して振動する振動源が前記ピックアップマイクに対応して設けられ、
前記ピックアップマイクは前記振動源の振動を電気的に増幅させることを特徴とする請求項３１記載のアナログ電子ドラムセット用パーツ。
【請求項３４】
前記振動源は、前記打撃面の裏面に接着されていることを特徴とする請求項３３記載のアナログ電子ドラムセット用パーツ。
【請求項３５】
前記振動源は、前記打撃面の裏面に圧接されていることを特徴とする請求項３３記載のアナログ電子ドラムセット用パーツ。
【請求項３６】
前記振動源の前記打撃面に対する圧接力および前記ピックアップマイクに対する距離が調節可能となっていることを特徴とする請求項３５記載のアナログ電子ドラムセット用パーツ。
【請求項３７】
前記ピックアップマイクは前記振動源に対して接近離反可能に設けられていることを特徴とする請求項３３記載のアナログ電子ドラムセット用パーツ。
【請求項３８】
前記マイクロフォンは磁性体の振動を電気的に増幅させ得るピックアップマイクであり、
前記打撃面は磁性体を含む部材により構成され、
前記ピックアップマイクは前記打撃面の振動を電気的に増幅させることを特徴とする請求項３１記載のアナログ電子ドラムセット用パーツ。
【請求項３９】
前記ピックアップマイクは前記打撃面に対して接近離反可能に設けられていることを特徴とする請求項３８記載のアナログ電子ドラムセット用パーツ。
【請求項４０】
前記マイクロフォンは前記共鳴室内に設置されていることを特徴とする請求項３３記載のアナログ電子ドラムセット用パーツ。
【請求項４１】
前記マイクロフォンからの電気音についてデジタル変換することなくアナログ音のまま音質調整を行う音調整部と、
前記音調整部からの出力音に基づいて再生を行う再生部とを備えたことを特徴とする請求項５記載のアナログ電子ドラムセット用パーツ。
【請求項４２】
前記ピックアップマイクからの電気音についてデジタル変換することなくアナログ音のまま音質調整を行う音調整部と、
前記音調整部からの出力音に基づいて再生を行う再生部とを備えたことを特徴とする請求項１３記載のアナログ電子ドラムセット用パーツ。
【請求項４３】
前記マイクロフォンからの電気音についてデジタル変換することなくアナログ音のまま音質調整を行う音調整部と、
前記音調整部からの出力音に基づいて再生を行う再生部とを備えたことを特徴とする請求項２５記載のアナログ電子ドラムセット用パーツ。
【請求項４４】
前記ピックアップマイクからの電気音についてデジタル変換することなくアナログ音のまま音質調整を行う音調整部と、
前記音調整部からの出力音に基づいて再生を行う再生部とを備えたことを特徴とする請求項２６記載のアナログ電子ドラムセット用パーツ。
【請求項４５】
前記ピックアップマイクからの電気音についてデジタル変換することなくアナログ音のまま音質調整を行う音調整部と、
前記音調整部からの出力音に基づいて再生を行う再生部とを備えたことを特徴とする請求項２８記載のアナログ電子ドラムセット用パーツ。
【請求項４６】
前記ピックアップマイクからの電気音についてデジタル変換することなくアナログ音のまま音質調整を行う音調整部と、
前記音調整部からの出力音に基づいて再生を行う再生部とを備えたことを特徴とする請求項３０記載のアナログ電子ドラムセット用パーツ。
【請求項４７】
打撃面を備えるとともに共鳴室を持たず、口径が６インチに設定された第１のタムドラムと、
打撃面を備えるとともに共鳴室を持たず、口径が８インチに設定された第２のタムドラムと、
打撃面を備えるとともに共鳴室を持たず、口径が１０インチに設定された第３のタムドラムと、
打撃面を備えるとともに共鳴室を持たず、口径が１２〜１４インチに設定されて水平に配置され、足裏により直接的に打撃可能なバスドラムと、
打撃面を備えるとともに共鳴室を持たず、口径が８インチに設定されてスナッピーの前記打撃面の裏面に対する触れ具合および接触、非接触が調節可能とされたスネアードラムと、
口径が６〜８インチに設定され、相互に離反させる方向に取付軸周りに取り付けられたばね力で付勢された金属製で且つ磁性体を含まない上側の円盤状部材および金属製で磁性体を含む下側の円盤状部材を備えたハイハットシンバルと、
口径が８〜１０インチに設定され、金属製で且つ磁性体を含まない円盤状部材を備えたクラッシュシンバルと、
口径が１０〜１２インチに設定され、金属製で且つ磁性体を含まない円盤状部材を備えたライドシンバルと、
前記第１のタムドラム、前記第２のタムドラム、前記第３のタムドラム、前記バスドラムおよび前記スネアードラムの打撃面の裏面において、演奏者から見て前記打撃面の向かい側の縁から当該打撃面の中央方向に２０〜４５％寄った位置にそれぞれ圧接して設置され、磁性体から構成されるとともに前記打撃面に対する圧接力が調整可能とされて前記各ドラムの打撃面の振動に追随して振動する振動源と、
それぞれの前記振動源に対応し、演奏者から見て前記打撃面の向かい側の縁から当該打撃面の中央方向に２０〜４５％寄った位置で且つ前記振動源に対する距離が調節可能に設けられ、前記振動源の振動を電気的に増幅させ得るピックアップマイクと、
所定の回転方向に付勢された滑車、下方に踏みつけることにより付勢力に抗して前記滑車を回動させるフットペダル、および前記滑車に取り付けられて前記フットペダルの側方に位置し、前記滑車の回動により手前下方に揺動して打撃面を打撃し得るようにした打撃棒を備え、前記バスドラムを打撃するフットペダルユニットと、
磁性体を含んで前記クラッシュシンバルおよび前記ライドシンバルの前記円盤状部材にそれぞれ当接され、前記円盤状部材の振動により共振する振動源と、
前記クラッシュシンバルおよび前記ライドシンバルの前記円盤状部材に当接された前記振動源に対して接近離反可能に設けられ、前記振動源の振動を電気的に増幅させ得るピックアップマイクと、
前記ハイハットシンバルの下側の前記円盤状部材に対して接近離反可能に設けられ、当該円盤状部材の振動を電気的に増幅させ得るピックアップマイクと、
前記ピックアップマイクからの電気音についてデジタル変換することなくアナログ音のまま音質調整を行う音調整部と、
前記音調整部からの出力音に基づいて音再生を行う再生部と、
全長が３９〜４５ｃｍ、先端に位置する打撃部の径が３．５〜４ｍｍで長さが８〜１０ｍｍ、本体部の径が８〜１０ｍｍで長さが２３〜３５ｃｍ、前記打撃部と前記本体部との境界である括れ部の径が２〜２．５ｍｍ、前記括れ部から徐々に径が広がって前記本体部に至る拡径部の長さが１０〜１５ｃｍ、質量が１２〜１８ｇとされたドラムスティックとを有することを特徴とするアナログ電子ドラムセット。
【発明の詳細な説明】
技術分野
本発明はアナログ電子ドラムセットおよびアナログ電子ドラムセット用パーツ、特に生ドラムセットの各パーツの打撃音に関してデジタル変換処理を行うことなく電気的処理を行って再生するアナログ電子ドラムセットおよびアナログ電子ドラムセット用パーツに関するものである。
背景技術
電気的処理を伴う楽器としては１８００年代に開発されたハモンドオルガンなどが周知であり、その後いわゆる電気楽器は様々な方向の発展を遂げている。このような流れは、ドラムセットに関しても同様であり、当初「シンセドラム」が提案され、このシンセドラムは、演奏者がトリガー受信機としてのパッドを叩くことにより、これが発信音となりこれに基づいてアナログシンセサイザーの機能を使用してドラム的な音を創造するという構成が取られた。
次に、デジタルシンセサイザーの出現により、録音されたドラムの音そのものを鳴らす「バーチャルドラム」、「ＭＩＤＩドラム」が提案され、現在一般に電子ドラムとして普及している。
図２８にはこのような電子ドラムの基本構成を示しており、図示のようにゴムや樹脂にて形成されたパッド１０を演奏者が打撃すると、その衝撃が電気信号として出力される。この打撃電気信号は、ＭＩＤＩ「ｍｕｓｉｃａｌ　ｉｎｓｔｒｕｍｅｎｔ　ｄｉｇｉｔａｌ　ｉｎｔｅｒｆａｃｅ」変換器１２に送られる。このＭＩＤＩは、電子楽器やパソコンを相互に接続し、音楽データをやりとりするための周知の規格であり、音そのものの情報ではなく、音の高さ、大きさ、長さ、音色や効果といった情報を「数値データ」に変換して音楽を表現しようとするものである。
このＭＩＤＩ変換器１２によりパッドの打撃に応じた電気信号がＭＩＤＩ変換され、ＭＩＤＩ信号がフォトカプラ１４を介して音源部１６に送られる。この音源部１６は様々な音を保持しており、この入力されたＭＩＤＩ信号に基づいて選択設定されている種類の音をそのＭＩＤＩ信号に対応させて出力する。この音源部１６に記憶された音は実際の種々の楽器音に限らず、エンジン音や様々な効果音である。すなわち、このような電子楽器では、音響信号が一旦デジタル変換されるので、パッドが打撃された時に生じる音質は再生音とは全く関係がない。
ＭＩＤＩ変換器１２から出力された音信号はいわゆるエフェクタ１８により種々の調整を行った後に再生手段２０に送られ再生される。この再生は、電子楽器の特徴である小音機能を用いるときには、ヘッドフォン等が用いられ、外部に大音響を発生させない様にすることも可能である。
このように、現状の電子ドラムセットでは、パッド１０を叩いた衝撃が一旦デジタル化、すなわち数値データ化されて様々な音による再生が可能となっている。
電子ドラムでは圧電素子であるピエゾ式衝撃感知センサが多く用いられており、打撃されたときのこのピエゾ式衝撃感知センサの変位で発生する電圧をＭＩＤＩ変換器１２で信号変換して所望の音を生成している。
したがって、打撃した瞬間におけるセンサの変位動作およびその時の変位量がピックアップされるようになっており、打撃音そのものは再生音とは全く無関係なために打撃音自体はミュートされる構造となっている。よって、打撃音の高さや減衰の長さ、音質などといったアコースティックな要素は全く反映されない。そして、当該電子ドラムによれば、スティックで打撃する動作で、ドラム音のみならず、ピアノ音、ハプシコード音、トランペット音などの種々の楽器の音、あるいは自然界に存在する種々の音などが電子的に再生できる。
以上説明したようなピエゾ式衝撃感知センサにおける圧電素子の変位を信号変換するＭＩＤＩ変換器を用いた技術、および後述するシンセドラムに類する技術は、例えば特開昭５３−１２１７７号公報、特開昭６１−２９５１６号公報、特開平６−１４９２５４号公報、特開平７−３１１５７７号公報、特開平８−４４３５７号公報、特許第２６０１９０５号公報などに開示されている。
ＭＩＤＩを使用しないものとしては、上述のいわゆるシンセドラムというものが存在するが、この方式を簡単に説明すると、先ず、打点を打撃することにより、電気信号が、スウィッチＯＮとして送出される。この電気を受信することにより、ＶＣＯ（Ｖｏｌｔａｇｅ　Ｃｏｎｔｒｏｌｌｅｄ　Ｏｓｃｉｌｌａｔｅｒ）という機械が、パルス波・サイン波・ノコギリ波の内、設定した何れかの波に基づく発音を行う。
その発生された音が、次のＶＣＦ（Ｖｏｌｔａｇｅ　Ｃｏｎｔｒｏｌｌｅｄ　Ｆｉｌｌｔｅｒ）という処理に行き、音の明るさ具合や、倍音を加え、変調される。その結果生じた音を最後にＶＣＡ（Ｖｏｌｔａｇｅ　Ｃｏｎｔｒｏｌｌｅｄ　Ａｍｐｌｉｆｉｅｒ）という機能に導き、トレモロ・ビブラート等がかけられ、音量などが決められる。そして、最後にＥＧ（Ｅｎｖｅｌｏｐｅ　Ｇｅｎｅｒａｔｏｒ）による処理が行われ、アタックタイム・ディレイタイム・サスティーンタイム・リリースタイムが設定されて、すなわち、立ち上がりきるまでの時間、ピークから持続音迄の時間、延びている時間、ＯＦＦ後の残り音の時間などが決められ、それぞれに音程の変更も加えられる様な機能を通して、アウトプットより出力されると言うものである。
ここで、以下の説明の容易化を図るため、一般の生ドラムセットの構成を図２９に示す。太鼓（ドラム）系の構成としては、１がスネアドラム、２が第１タムドラム、３が第２タムドラム、５がフロアータム、６がバスドラム、７がバスドラム打撃用のフットペダルである。そして、シンバル系の構成としては、８がハイハットシンバル、９がクラッシュシンバル、１０がライドシンバルである。１１はハイハットシンバルのクローズとオープンを操作するためのフットペダルである。
なお、本明細書において「生ドラムセット」とは、図２９に示すドラムセットの構成に限定されるものではない。
つまり、「生ドラムセット」とは、太鼓系のみ、あるいはシンバル系のみで構成されていてもよく、太鼓系およびシンバル系以外の要素が含まれていてもよい。すなわち、太鼓系およびシンバル系の少なくとも何れかが含まれていればよい。
そして、本明細書において「生ドラムセット」とは、アンプなどの増幅器とスピーカによる電気的処理を行うことなく、当該ドラムセット自体から発生する打撃音だけで演奏を行うことを前提として作成されたドラムセットをいう。したがって、広い演奏会場などで十分な音量を得るために事後的にアンプで音量を増幅してスピーカからドラム音を流したとしても、そのドラムセットが打撃音だけで、つまり電気的処理を行うことなく演奏を行うことを前提として作成されたものであれば、それはここでいう「生ドラムセット」に当たる。
また、太鼓系に関しては、図２９に示す各ドラムの全てが含まれている必要はなく、これらの一部が含まれていればよい。なお、図２９に示す各ドラム以外のドラムが含まれていてもよい。
そして、シンバル系に関しては、図２９に示す各シンバルの全てが含まれている必要はなく、これらの一部が含まれていればよい。なお、図２９に示す各シンバル以外のシンバルが含まれていてもよい。
上記のような現在の電子ドラムセットの場合、上述のようにパッドの打撃音とは無関係に演奏音の再生が行われるので、その打撃動作に基づいて生ドラムセットの音に近い再生音を出すことは勿論、生ドラムセットとは全く異なる音、例えばピアノなどの他の楽器音、さらには動物の鳴声や自動車のエンジン音などを再生できることからその用途も多様である。
さらに、ヘッドフォン等を用いて聴取する場合、外部に発している音は、ゴムや樹脂製のパッドを叩く音のみであるので、防音施設のない一般家庭などにおけるドラムの練習も可能となっていることは上述の通りである。
しかしながら、ゴム等のパッドを叩いた衝撃の電気信号への変換は、パッドが弾力性を有していることから繊細な打撃に対してはこれに反応することが困難である。一方、微細な衝撃を検出するようにするためにパッドを硬いものとすることは、演奏者において腱鞘炎等の障害を起す原因ともなり採用することができない。したがって、一定の強さ以上の打撃動作を行った場合にのみ再生可能な電気信号が発せられているのが現状である。
また、実際のドラム演奏の場合には、打撃の仕方、例えばスティックの握り強さなどを変化させ、あるいはスティックと被打撃部との接触時間の微妙な調整によって発生音に差を生ぜしめることができ、上級の演奏者ほどそのような微妙なタッチを駆使しているものである。
しかしながら、現在の電子ドラムセットの場合にはこのような打撃手法（タッチ）の微妙な変化には反応することができない。
さらに、パッドを打撃した際の振動をピックアップしてこれに基づく電気信号をＭＩＤＩ信号に変換した後、フォトカプラに送られフォトカプラから音源部にＭＩＤＩ信号が送られ、このデジタル信号に基づいて音源部に録音された種々の音が再生されるが、その間において微妙なタイムラグが発生する。すなわち、演奏者が打撃動作を行って所定の再生音が発せられるまでに微妙な時間のずれが生じる。この点も特に上級者にとっては不満の残るところであった。
なお、上記いわゆるシンセドラムについては、ＭＩＤＩを使っていないという点では一致している。しかしながら、最初に生じた打撃音の音質というものを再生のための基礎として用いない。すなわち、最初の打撃音は、スイッチのオンのためのトリガーの役割を果たしているのみである。したがって、演奏者の微妙な打撃手法が生かされないと言う課題は同様に残されていた。すなわち、シンセドラムからは最初から創り出された電子音が出力されるだけであった。
本発明は上記種々の課題に鑑みなされたものであり、その目的は、演奏者の微妙な奏法にも追従して再生音を発生することができ、演奏者の動作と再生音の発生にタイムラグを意識することのないアナログ電子ドラムセットおよびアナログ電子ドラムセット用パーツを提供することにある。
発明の開示
上記目的を達成するため、本発明に係るアナログ電子ドラムセットは、生ドラムセットの各パーツに対応して設けられ、打撃面を備えるとともに共鳴室を持たない第１の原音発生部と、前記第１の原音発生部からの打撃音および減衰音を電気的に増幅させ得るマイクロフォンと、前記マイクロフォンからの電気音についてデジタル変換することなくアナログ音のまま音質調整を行う音調整部と、前記音調整部からの出力音に基づいて再生を行う再生部とを備えている。
共鳴室を持たない第１の原音発生部は、生ドラムセットの各パーツの本来の音、すなわち生ドラムの各パーツの音よりも小さい打撃音を発生するので、その第１の原音発生部を叩いた時に生じる音は実際の生ドラムのような大音響ではないものとすることができる。
そして、この第１の原音発生部を叩くことによって生じた打撃音および減衰音はマイクロフォンで受音されて電気音として増幅させ得る。そして、この電気音が音調整部によってアナログ音のままで種々の音質調整に付される。この音調整は、数値データへの変換であるデジタル処理をしない調整であり、マイクロフォンからの音響信号に基づいていわゆるアナログ的な種々の音質調整のための電気的処理を行うものである。そしてこの調整の後、拡声手段やヘッドフォン等により再生が行われるものである。
このように、本発明によれば、デジタル変換処理、フォトカプラなどを介した信号の伝達、さらに予め録音した音の選択、再生などの動作が行われないので、演奏者の打撃動作から演奏音発生までにおけるタイムラグを意識することがなくなる。
また、従来の電子ドラムセットのようにパッドを叩いた時に生ずる実際の音とは全く無関係の再生が行われるのではなく、第１の原音発生部を叩いた時に生ずる打撃音および減衰音をそのまま利用するので、演奏者の微妙な打撃手法、つまり、演奏法をそのまま再生音に反映させることができる。すなわち、スティックの握り方や叩き方、さらには摩擦音の発生など通常の生ドラムセットを用いる時と同様の動作による音の再生が可能であり、技量の程度に追随した再生が達成される。
なお、前記音調整部は、例えば、インプットゲイン、イコライザ、ハーモナイザ、コンプレッサなどを含むメインエフェクタ、さらに、リバーブ、コーラス、デイレイなどを含むサブエフェクタによって構成される。これにより、デジタル信号への変換を行うことなく、増幅、種々の音質の強化、音程の調整、迫力の調整などが行われる。そして、この音調整部によって、第１の原音発生部の小さい音から、実際の演奏に使用できるような音、例えば、生ドラムの実際の音に近い音色の迫力のある音を再生することが可能となる。
また、本発明に係るアナログ電子ドラムセットは、前述の発明において、前記第１の原音発生部が実際の生ドラムに各対応するパーツの本来の音質に近い音質の打撃音を発生する材質にて形成することとしている。このような材質を用いることにより、前記音調整部による音質の調整がより容易なものとなる。すなわち、実際のドラムパーツの音質に近い音部分を強化して実際の生ドラムの音に近付ける等の操作を容易に行うことができる。
本発明に係るアナログ電子ドラムセット用パーツは、生ドラムセット中のドラム系のパーツに対応するものであって、打撃面を有するとともに共鳴室を持たない第１の原音発生部と、前記第１の原音発生部からの打撃音および減衰音を電気的に増幅させ得るマイクロフォンとを有している。
このような生ドラムセット中の太鼓系のパーツに対応する構成は、スネアドラムやタムドラムやバスドラム等に対応して用いられる。第１の原音発生部は共鳴室を持たないこと、また口径自体を全体的に小さくし、専用の細いスティックで演奏することから生ドラムセット中の対応するパーツの音よりも打撃音が小さくなるので、防音施設のない場所での練習を支障なく行うことのできる程度の打撃音に設定される。
また、本発明に係るアナログ電子ドラムセット用パーツの一実施の形態としては、前述の発明において、前記打撃面は金属部材を含む部材を用いることにより形成され、前記マイクロフォンは前記打撃面に磁力により取り付けられている。
このように、金属部材を含む部材を用いて打撃面を形成することにより、マイクロフォンを磁力により直接打撃面に取り付けることが可能となり、雑音を拾うことを防止できるだけでなく、音調整に適した良好な原音を得ることができる。
さらに、本発明に係るアナログ電子ドラムセット用パーツの他の実施の形態としては、生ドラムセット中のバスドラムに対応するものであって、足裏により直接的に打撃可能な打撃面を備えるとともに共鳴室を持たない第１の原音発生部と、前記第１の原音発生部からの打撃音を電気的に増幅させ得るマイクロフォンとを備えている。
バスドラムについては、通常の生ドラムセットではフットペダルを介して打撃する構成をとっている。すなわち、フットペダルを踏み込むことにより、回動動作するバチにより、床面に対してほぼ垂直に立っているバスドラムの打撃面を叩くものである。
これに対し、本発明に係るパーツは、打撃面を足裏により直接打撃することも可能とする構成をとっている。すなわち、フットペダルを使用した場合のような大きな振幅の打撃動作を行わず、小さい衝撃で演奏することが可能となる。また、足裏の所定箇所で打撃面に対する打撃を行うことができるので、実際のバスドラムよりも細い打撃動作を簡単に行うことができる。
このアナログ電子ドラムセット用パーツに用いられるフットペダルユニットには、所定の回転方向に付勢された滑車と、下方に踏みつけることにより付勢力に抗して前記滑車を回動させるフットペダルと、前記滑車に取り付けられて前記フットペダルの側方に位置し、前記滑車の回動により手前下方に揺動して打撃面を打撃し得るようにした打撃棒とを備えたものを用いることができる。このとき、滑車は２個並列に設けられて同期回動するようにしてもよい。
また、前記マイクロフォンを磁性体の振動を電気的に増幅させ得るピックアップマイクとし、前記打撃面には、磁性体から構成されて前記打撃面の振動に追随して振動する振動源を前記ピックアップマイクに対応して設け、前記ピックアップマイクが前記振動源の振動を電気的に増幅させるようにすることができる。
このとき、前記振動源は、前記打撃面の裏面に接着、あるいは前記打撃面の裏面に圧接させることができる。また、前記ピックアップマイクは前記振動源に対して接近離反可能に設けてもよい。
また、前記マイクロフォンを磁性体の振動を電気的に増幅させ得るピックアップマイクとし、前記打撃面を磁性体を含む部材により構成し、前記ピックアップマイクが前記打撃面の振動を電気的に増幅させるようにすることができる。このとき、前記ピックアップマイクは前記打撃面に対して接近離反可能に設けることができる。
さらに、本発明に係るアナログ電子ドラムセット用パーツは、生ドラムセット中のシンバル系のパーツに対応するものであって、両端が開口された金属製の筒体にて形成された第１の原音発生部と、前記第１の原音発生部からの打撃音および減衰音を電気的に増幅させ得るマイクロフォンとを備えている。
シンバル系のパーツは通常は大きな音響であるが、このような構成により防音施設のない場所でも演奏可能な小さな音とすることができ、且つ本体を打撃した際に本体内空間で良好な音響作用を得ることができ、良好な原音を得ることができる。なお、第１の原音発生部には、本来のシンバル系パーツよりも小さい打撃音を発生する金属製の円盤状部材を用いることができる。
この場合において、前記マイクロフォンを磁性体の振動を電気的に増幅させ得るピックアップマイクとし、金属製の前記第１の原音発生部を磁性体を含む部材により構成し、前記ピックアップマイクで前記第１の原音発生部の振動を電気的に増幅させ得るようにすることができる。このとき、ピックアップマイクは前記第１の原音発生部に対して接近離反可能に設けることができる。
前述したピックアップマイクの取付構造は、生ドラムセットにも採用することができる。これにより、大音量の必要な演奏会場において聴衆に十分な音量を届けることができる。
本発明に係るアナログ電子ドラムセット用パーツは、前述した発明において、マイクロフォンからの電気音についてデジタル変換することなくアナログ音のまま音質調整を行う音調整部と、前記音調整部からの出力音に基づいて再生を行う再生部とを備えている。
このように、上記各パーツを用いることで、今までにない新しい小音量の音源から再生音を作り出すことができ、且つ音調整部によって、デジタル変換することなくアナログ音のまま音質調整を行うことによって、従来のような演奏者の打撃動作から演奏音発生までにおけるタイムラグを意識することがなくなる。
また、原音発生部を叩いた時に生ずる打撃音をそのまま原音として利用するので、演奏者の微妙な演奏法をそのまま再生音に反映させることが可能である。
発明を実施するための最良の形態
以下、本発明の実施の形態を、図面を参照しつつさらに具体的に説明する。ここで、添付図面において同一の部材には同一の符号を付しており、また、重複した説明は省略されている。なお、発明の実施の形態は、本発明が実施される特に有用な形態としてのものであり、本発明がその実施の形態に限定されるものではない。
図１は、本発明に係るアナログ電子ドラムセットの構成例を示す説明図である。
図示するように、生ドラムセットの各パーツに対応して設けられ、打撃面を備えた第１の原音発生部１００に取り付けられたピックアップマイクもしくはマイクロフォン（図示せず）は、これら第１の原音発生部１００を打撃した際の打撃音および減衰音を受け、その音を電気音として、音調整部２６に送る。なお、第１の原音発生部１００は、ドラム系のパーツでは共鳴室を持たないために、実際の音よりも小さい打撃音および減衰音を発生するようになっている。また、シンバル系のパーツでは小型化が図られているために、同じように、実際の音よりも小さい打撃音および減衰音を発生するようになっている。
ここで、本明細書において共鳴室とは、打撃面と筐体とで形成された中空構造の閉鎖空間を指す。そして、打撃面と筐体とを備えていても、必ずしも共鳴室が形成されているとは限らない。つまり、打撃面と筐体とを有してはいるものの筐体に開口部が形成されていれば閉鎖空間は形成し得ないからである。
なお、ドラム系の第１の原音発生部１００には、打撃面の張力を調整する機構が設けられている。
本実施の形態では、音調整部２６は、例えば原音の調整部としての第１エフェクタ２８およびその後段に別途設けられた第２エフェクタ３０とから構成されている。図示のように、各マイクロフォンからの電気音は、先ず、第１エフェクタ２８の入力部であるインプットゲイン２８ａを介して、例えば、イコライザ２８ｂ、ハーモナイザ２８ｃ、コンプレッサ２８ｄなどに送られる。さらに、この第１エフェクタ２８からの音は、例えばリバーブ、コーラス、デイレイ、アンビエントなどを含む第２エフェクタ３０に送られる。
この音調整部２６では、ピックアップマイクもしくはマイクロフォンからのアナログ音（＝アコースティック音）をデジタル信号に変換することなく、すなわち数値データへの変換を行うことなく、増幅、種々の音質の強化、音程の調整、迫力の調整などが行われる。そして、この音調整部２６によって、第１の原音発生部１００の小さい音から、実際の演奏に使用できるような音、例えば、生ドラムの実際の音に近い音色の迫力のある音を再生することが可能となる。
なお、具体的には、上記インプットゲイン２８ａは、種々のピックアップマイクもしくはマイクロフォンで電気音として収音された各パーツの打撃音および減衰音の基本ボリュームを揃える機能を有している。
次に、第１エフェクタ２８のイコライザー２８ｂ部分では、各パーツ毎に設定されたデフォルト値を調整し、例えば、原音を最も各生ドラムパーツに近い音に仕上げる。
次に、ハーモナイザ２８ｃ部分は、音程を変えるつまみにより調整できるように構成されている。
次に、コンプレッサ２８ｄ部分では、デフォルト値がその原音が一番生音らしい雰囲気が出る値に段階的に設定されている。ここでは、例えば、５段階のつまみが設定され、例えば、１デフォルト・２派手な音・３タイトな感じ・４ローファイな感じ・５ソフトな感じの様に、段階的に音色が変わるようになっている。
そして、最後に、図示のように音の延び具合を調整する音延び調整部２８ｅが設けられ、音を長く延ばしたり、あるいはタイトに切ったりする調整ができるようになっている。
ここまでの設定で、生音を録った状態でのチューニングが終了する。
本実施の形態では、ダイレクトパラアウトジャック２８ｆから、パラアウト、すなわち、各パーツの音毎に、一個ずつアウトプットできる構成となっている。これにより、実際のレコーディング時などにおいて、一つ一つの音を、さらに装飾しやすい様にしている。また、後述するように、このダイレクト出力をＩＥＥＥ１３９４と呼ばれる一本のワイヤで行ってもよい。
一方、第１エフェクタ２８に接続された第２エフェクタ３０では、先ず、ＰＡＮの設定が行われ、これで、各パーツがスピーカのどの位相に配備されるかが決定される。
さらに、この第２エフェクタ３０では、例えば、リバーブ（残響音の付加）、コーラス（音を膨らます）、ディレイ（繰返し）などの再生音に幅をもたせるための調整が行われる。そして、最後にマスターボリュームにより音量が決められ、ステレオアウトから全体のトータルのセット音が出力される。これが外部のアンプ３２等で増幅され、スピーカ（再生部）３４から出力される。なお、再生部としては、ヘッドフォン３６等を適用できることは勿論である。
このように、音調整部２６では、原音のデジタル変換を行うことなく第１の原音発生部１００で発生した音の音質をそのまま利用した調整が行われるものである。したがって、デジタル変換、すなわちＭＩＤＩに変換して予め録音されている音を再生するという過程を経ないので、演奏者の打撃動作から再生までにおけるタイムラグを意識することがなくなる。
また、このような工程で再生を行うことにより、第１の原音発生部１００で発生される音は、非常に小さな音で足りる。したがって、スピーカからの再生ではなくヘッドホンやイヤホンなどを用いた再生を行った場合には、防音設備のない場所でも騒音の問題が発生することは少ない。
また、従来のトリガー信号発生手段として機能する電子ドラムのパッドの打撃とは異なり、第１の原音発生部１００の実際の打撃音および減衰音を用いるので、微妙なスティック操作による演奏音に差が生じ、その差が再生に生かされる。したがって、ステックの種類やにぎりかたの変更による再生音の変化が生まれることとなる。
次に、ドラムセットの個々のパーツである第１の原音発生部１００について説明する。
図２は、太鼓（ドラム）系のパーツの例を示しており、例えばスネアドラムに対応する第１の原音発生部であるパーツ４０を例示している。本実施の形態では、パーツ４０の打撃面は、たとえば金属部材を含んだ平坦面あるいは金属部材を含んだネット状の小音ヘッド４２によって形成されている。
図３は、小音ヘッド４２の張り方の一例を示している。図示するように、小音ヘッド４２を筐体に張り、これをリム４８に形成されたカギ部４８ａと、これに対応して筐体の胴部に形成されたカギ部４３とに紐状体４５を掛け渡し、これを巻き付けたローラ４７を回転させて締め付け、ロック４９で止めるようにしている。
上記のようなパーツ４０および後述するパーツ１０１，１０７を打撃するドラムスティックの一例を図３２に示す。
図示するように、ドラムスティック１３２としては、例えば、全長Ｌ１が３９〜４５ｃｍ程度、先端に位置する打撃部の径Ｒ１が３．５〜４ｍｍ程度で長さＬ２が８〜１０ｍｍ程度、本体部の径Ｒ２が８〜１０ｍｍ程度で長さＬ３が２３〜３５ｃｍ程度、打撃部と本体部との境界である括れ部の径Ｒ３が２〜２．５ｍｍ程度、括れ部から徐々に径が広がって本体部に至る拡径部の長さＬ４が１０〜１５ｃｍ程度となっている。また、質量は１２〜１８ｇ程度、材質は竹材の様な弾力性、耐久性に優れたもので、小音量の打撃音を発するものが好適である。なお、既存のドラムスティックは、材質にヒッコリーや樫を多く用い、質量が６０ｇ程度が標準であり、本体部の径Ｒ２は１４〜１５ｍｍ程度が標準である。
このようなスペックのドラムスティックが用いられる理由は次のようなことによる。
つまり、本願では、原音の小音量化の観点からドラム系のパーツが共鳴室を持っていないことに加えて、ドラムセット全体の小型化、携帯性を図る点から、原音発生体であるパーツの口径は一般のドラムセットのものよりも小さくすることが望ましい。このようなパーツを一般のドラムセットにおける前述したような一般の口径用のドラムスティックで打撃すると、打膜面に対するアタック時の接面積が大きすぎるために、アタック音がまろやかで減衰が短く、倍音の少ない音になる。
このような不具合を解決するためには、打膜面に対するドラムスティックによる打撃時の接面積の比率を普通のドラムの場合と近率化する必要性がある。
そこで、前述のようなドラムスティックを使用することにより、打膜面に対する接面積を普通のドラムの場合と近率化することにより、アタック音の鋭さ、減衰の長さ、倍音の多さを確保することが可能になる。
なお、前述したドラムスティックでドラムヘッドを叩けば、このようにアタック音の鋭さなどが得られるとともに、打撃音の小音量化をも図ることができる。
このようなドラムスティックが好適に用いられるアナログ電子ドラムセットのサイズについては、図２７において詳述する。
次に、マイクロフォンの取り付けについて説明する。
図２に示した例によれば、中空構造となったパーツ４０のボディー内部にブリッジ４４が懸架され、ブリッジの中心であり、打膜面上の図３１に示す位置にピックアップマイク（マイクロフォン）４６が取り付けられている。したがって、ピックアップマイク４６はパーツ４０の内部に保持されている。
図４は、マイクロフォンの他の取り付け例を示している。
図示のように第１の原音発生部であるドラム系のパーツ８０内に３本のポール８２を立設し、これに弾力性のある紐状体８４を用いてピックアップマイク（マイクロフォン）８６を吊すようにしている。これにより、ピックアップマイク８６は柔軟に支持された状態となる。
上記のようなブリッジ４４や弾力性紐状体８４による吊り下げ形式の場合、それらの弾力性については、原音以外の、衝撃から来るダブリングや、原音発生体自体の共鳴音が伝達されて二次的に拾うことを避けるため、振動の吸収率のある程度高い弾力性と、さらに原音発生ポイントからの距離をしっかりと保てる程度の安定性を持つ程度のものとするのが好ましい。
また、スネアドラムに対応するパーツ４０の場合、響き線（スナッピー）の鳴り具合が非常に重要となる。図５は、その構成の一例を示しており、同図（Ａ）はスナッピー８１自体の構成を示している。同図（Ｂ）のように、ベース部材８３に複数のコイル状の針金８５を取り付けてスナッピー８１が形成されている。このスナッピー８１を打撃面４２に針金８５の部分が触れ得るように設置し、調整部８７を構成するばね付き調整ねじをもって打撃面４２の裏面に対する触れ具合および接触、非接触を調整できるように取り付けている。このような構成により、スネアドラム対応パーツに適した原音を得ることができる。
次に、図６はバスドラムに対応する第１の原音発生部の一例であるパーツ５０を示している。同図（Ａ）は外観図、同図（Ｂ）は概略断面図である。図示のように、バスドラム対応パーツ５０は、箱状に形成され上面に演奏者が足により直接打撃を加えることのできる平坦な打撃面５２が形成されている。このパーツ５０の打撃面５２の材質としては、本実施の形態ではベニヤ板が用いられており、打撃面５２の厚さは４ｍｍ程度とされている。材質はこのようなベニヤ板に限られるものではなく、本来のドラムパーツの打撃音に近い打撃音を発生するような樹脂などの他の部材を用いることも可能である。
なお、バスドラムもドラム系のパーツの一種であることから、本願においては、特にバスドラム固有の構造以外の記載に関しては、ドラム系のパーツの記載にはバスドラムも含まれる。
箱体の本体５１の下部にはクッションパッド５４が設置され、衝撃の吸収を行っている。このように演奏者の足の裏側で直接打撃面５２を叩く動作を行うようにしているので、フットペダルを用いてばちにより強い衝撃を加えるこれまでのバスドラムに比べて床へ伝達される衝撃は極めて小さいものとなる。
なお、フットペダル使用の場合は、下側に弾力性のあるものを設置すると踏み込み動作が不安定になり、演奏に悪影響を与えるので、その様な方式の防音手段は有効ではなかった。
また、打撃面５２が水平になっているので、直接足で打撃面５２が踏め、足の裏で打撃面５２をこするような奏法が行える。これにより、ジャズバラードなどで使われるブラシ奏法と同じ奏法を足で行うことが可能になる。
さらに、直接足の裏で打撃面５２を踏めることから、フットペダルを用いたばちによる奏法に比べて打音がソフトになり、軟らかなニュアンスのドラム演奏が行える。これにより、本来パーカッションしか入らないような静かなバラードで静かでソフトなリズムを刻むことが可能になる。
本実施の形態に係るバスドラム対応パーツ５０におけるマイクロフォンの設置は、例えば、本体５１内の空間にピックアップマイク（マイクロフォン）５６を設置することにより行っている。本体５１の内側面間に掛け渡されたブリッジ５８によってピックアップマイク５６は内部空間に設置されている。なお、ブリッジ５８の弾力性については種々選択することができる。
図７は、図６もしくは図１０に示したようなバスドラム対応パーツ５０，１１７の演奏に適した演奏者側の打撃用具の例を示している。すなわち、演奏者の演奏する足裏に打撃面５２，１１７ａを叩くための打撃部材６０を取り付けるための用具である。同図（Ａ）は、シューズあるいは靴下状の装着具６２の裏側に打撃部６０を取り付けたものであり、同図（Ｂ）はサンダル状のベルト部材６４の足裏部分の好適な位置に打撃部６０を取り付けたものである。打撃部６０については、種々の硬度のものを選択することができ、材質としては、金属製あるいは樹脂製などの様々のものを用いることができる。
このような、打撃用具の装着により、より軽いタッチで必要な打撃音を発生させることが可能となり、また、バスドラム対応パーツ５０の本体５１の材質や打撃部６０の材質を変えることにより、原音の音質を変えることも可能であり、これにより、最終的な再生音にバリエーションを持たせることもできる。なお、打撃用具は必ずしも装着する必要はなく、足裏により、そのまま打撃動作することも可能であり、その場合にはよりソフトな音質となると共に演奏者の個性がより発揮されることとなる。
ここで、従来のバスドラム用のフットペダルユニットは、図２９のバスドラム６とフットペダル７の関係に示されるように、フットペダルを下方に向かって踏むことによりチェーンやバンドを介して滑車が回転し、これにより滑車に取り付けられた打撃棒（ビーター）が回動して、垂直に立っている打撃面を叩くという構造である。つまり、フットペダルを踏むという下方への力を打撃棒で打撃面を叩くという垂直方向への力に変換していた。このような力の方向変換により、実際に地面を踏んだ感覚と打撃棒が打撃面を叩いた感覚との間にフットペダルの存在に伴うギャップが生じ、フットペダルの性能により演奏性が大きく左右されていた。
なお、このように垂直な打撃面を叩くためのフットペダルユニットは、例えば特開平６３−４４２３４号公報に開示されている。そして、当該フットペダルユニットも垂直な打撃面を叩く構造であることから、必然的に前述のような問題を有している。
このような従来のフットペダルユニットにおける問題を解決するため、本実施の形態のフットペダルユニット１１０は、図８に示すように、ばね１１１により所定の回転方向に付勢された２個の滑車１１２と、下方に踏みつけることにより付勢力に抗してこの滑車１１２を回動させるフットペダル１１３と、アーム１１４を介して滑車１１２に取り付けられてフットペダル１１３の側方に位置し、滑車１１２の回動により手前下方に揺動して打撃面（図示せず）を叩くことができるようにした打撃棒１１５とから構成されている。
これにより、図９に示すように、フットペダル１１３を踏んだ方向に打撃棒１１５が動くので、足の動きと打撃棒１１５の動きとがリンクし、フットペダル１１３を踏んだ感覚と打撃面を叩いた間隔とが一致する。
また、フットペダル１１３で叩いた直後に足を移動させ、前述したような打撃面を直接足で叩く、踏む、さするという奏法、あるいは逆に足での直接奏法を行った直後にフットペダル１１３で叩く奏法を連続して行うことが可能になる。これにより、演奏者は、今まで以上に豊富なバリエーションで演奏を行うことができる。
なお、フットペダルユニット１１０は、図３０に示すように、単一の滑車１１２で構成してもよい。このようにすれば、部品点数の削減が図れるとともに、打撃棒１１５を動かすためのフットペダル１１３の踏力がより少なくて済むので、使い勝手が向上する。但し、図３０において、フットペダル１１３はアーム１１４を介することなく滑車１１２を直接回動させるようになっているが、図８に示すように、アーム１１４を介して滑車１１２を回動させるようにしてもよい。
その一例として、滑車を挟んで両側に突出したアーム１１４にワイヤをかけて略Ｖ字形に伸ばし、このＶ字形の角部分をペダル１１３に設けられたリング部に係止する接続位置にすることが特に有効である。
また、図８、図９、図２０、図２７および図３０等において、滑車が全て車輪型に統一されているが、滑車的機能を果たせば、滑車自体の形状はＴ字形や三角形型など、様々な形状を採用することができる。
ここで、フットペダルユニット１１０で打撃される第１の原音発生部であるドラム１１７を図１０に示す。
図１０に示すドラム１１７は、その打撃面１１７ａは水平方向に設置される水平型バスドラムである。このドラム１１７はリム１１７ｂに張り付けられて所定の張力が与えられた打撃面１１７ａと、この打撃面１１７ａをたとえば設置面から８ｃｍ程度の高さで水平になるように支持する３本の脚部１１７ｃとを有している。
図８および図３０に示すフットペダルユニット１１０を図１０に示すドラム１１７で使用する場合、両者の位置ずれをなくすための一実施の形態として、板状の固定具１２４を図１１に示す。
図示する固定具１２４は、フットペダルユニット１１０の脚部が挿入される孔部１２４ａと、ドラム１１７の脚部１１７ｃが挿入される孔部１２４ｂとが形成されている。
このような固定具１２４によれば、フットペダルユニット１１０とドラム１１７との間の位置関係にずれが発生しなくなるので、スムーズな演奏を行うことが可能になる。
なお、図１２に示すように、フットペダルユニット１１０はドラム１１７の両側に設置して使用することや、ドラム１１７の左側のみに設置して使用することもできる。そして、これらの場合において、設置される側のフットペダルユニット１１０に対応した孔部１２４ａを前述した固定具１２４に形成すれば、固定具１２４による位置ずれ防止が図れる。このとき、左側のフットペダルユニット１１０では、打撃棒１１５は右側のフットペダルユニット１１０とは反対側に設置されていることはいうまでもない。また、固定する他の一例として、リム１１７ｂとフットペダルのベース部１２９を符号１５１の位置で、既存の技術を用いて接合してもよい。
ここで、本実施の形態では、フットペダル１１０の滑車１１２はばね１１１のばね力により回転方向に付勢されているが、ゴム力など他の付勢力により付勢されていてもよい。また、打撃棒１１５はアーム１１４を介して滑車１１２に取り付けられているが、直接滑車１１２に取り付けてもよい。
ここで、既存のフットペダルユニットを転用し、図１３に示すように、滑車１１２を挟んでフットペダル１１３と反対側に打撃棒１１５を取り付けるようにフットペダル１１６を構成し、滑車１１２の回動により前側下方に揺動してドラム１１７の打撃面１１７ａを叩くようにしてもよい。
図１４は、シンバルに対応する第１の原音発生部であるパーツ７０の例を示している。
本実施の形態は、その音質からしてレガート用楽器として適しているものである。このシンバル対応パーツ７０は、例えば、鉄などの金属によって円筒状に形成された本体７２を有している。両端は開口されており、その両端近傍位置で支持部材７４により支持されている。ピックアップマイク（マイクロフォン）７６の取り付けは、図示のように両端から張られた複数の紐状体７１によって吊すことによって行われており、本体７２のほぼ中央に位置するように設置されている。演奏は本体７２を外方から叩くことによって行うものであり、本体７２の径や長さは求められる音質に応じて種々設定するのが好適である。
このようなシンバル対応パーツ７０によれば、これを打撃しても実際のシンバルのような大音量が発生することはない。しかしながら、細かい演奏者のタッチは演奏音の再生に反映される。例えば、打撃するスティックの種類や叩き方により原音が異なり、これを容易に再生に反映させることができる。
但し、このような金属製の筒体ではなく、従来の円盤状のシンバルを小型化して本来のシンバル系パーツよりも小さい打撃音を発生するようにしてもよい。
なお、本明細書においてシンバルとは、金属製の１枚の円盤をスティックで打撃するシンバルのみならず、２枚の円盤を打ち合わせて音を出すハイハットシンバルも含まれる。
ここで、ドラム系に対応するパーツ、シンバル系に対応するパーツに設けられたピックアップマイクの取付構造について説明する。なお、本明細書において、ドラム系とは、タムドラム、スネアドラム、バスドラムなどの他に、パーカッション（コンガ・ボンゴ・タブラ・スルドー・ジャンベ・ティンバレスなど）や和太鼓など、バチなどの打撃部材により、あるいは手や足で直接に、張力をもって張られた皮膜状の打撃面を叩くことにより音を発する種々の楽器が含まれる。
ピックアップマイクとは、鉄など磁気に反応する物質つまり磁性体の振動を電気的に増幅させ得るマイクである。ピックアップマイクは相互に接着された磁石と軟鉄性の鉄芯もしくは棒状の磁化された軟鉄にアルニコ線などのコイルを巻いたもので、このようなピックアップに対応して設けられた磁性体を振動させると、その振動に応じた誘導電流がコイル中を流れる。そこで、その誘導電流をアンプで増幅することによりスピーカから大きな音で、磁性体を振動させた打撃面のアコースティック音そのもの、つまり打撃音および減衰音が出力できる。ここで、本実施の形態においては、磁性体として鉄が挙げられているが、他の種々の磁性体を用いることができることはもちろん、複数の磁性体を併用することもできる。
なお、ピックアップマイクにはシングルコイルタイプとハムバッカーと呼ばれるダブルコイルタイプ（ハムバッキングマイク）とがある。ハムバッカーは、シングルコイルを２つ直列に接続して並べたもので、ハム（雑音ノイズ）がバッキング（消し合ってなくす）されるので、シングルコイルタイプに比較して低ノイズであることが特徴である。また、シングルコイルタイプも、コイル部分を蝋などでシールドすることにより、ノイズをカットすることができる。
図１５および図１６に示すように、ドラム系に対応する第１の原音発生部であるパーツ１０１においては、打撃面１０１ａの裏面と所定距離（たとえば、約２〜３ｍｍ）の隙間が空く距離間隔の位置に、ピックアップマイク１０２が設置されている。そして、打撃面１０１ａの裏面には、接着剤もしくは両面テープ等の粘着剤により、薄い金属板である振動源１０３が接着されている。この振動源１０３は、たとえば鉄などのような磁性体により構成されている。なお、振動源１０３は磁性体のみで構成されている必要はなく、磁性体以外の物質が含まれていてもよい。
なお、本実施の形態において、振動源１０３を接着する場合は、例えば１０ｍｍ×２０ｍｍ程度、厚さ０．３ｍｍ程度となっているが、これ以外の寸法であってもよい。
このような構造により、打撃面１０１ａの打撃振動が振動源１０３を振動させ、その振動をピックアップマイク１０２が拾う。これにより振動が電気的に増幅され得るので、これをアンプ（増幅部）１０４で増幅することによりスピーカ（再生部）１０５から大音量が得られる。
なお、図１６以下の図面においては、マイクとアンプとの間に設置される音調整部２６（図１）の図示が省略されている。
ここで、図１７に示すように、たとえば柔軟性のあるゴム樹脂性の支柱１０６を２本設け、打撃面１０１ａに向かって膨出する円弧状になるようにして振動源１０３を支柱１０６に掛け渡し、打撃面１０１ａを張ることによりその振動源１０３が打撃面１０１ａの裏面に圧接するようにしてもよい。このようにしても、打撃面１０１ａの打撃振動が振動源１０３を振動させ、その振動をピックアップマイク１０２が拾う。この図１７に示される圧接による収音技術のさらに詳細な実施の形態は、後述する図３６〜図４２において説明する。
なお、本実施の形態においては、このように振動源１０３を打撃面１０１ａの裏面に接着または圧着しているが、たとえば打撃面１０１ａと常に一定の隙間を保持できるように取り付けてもよい。すなわち、振動源１０３は打撃面１０１ａの振動に追随して振動するようになっていればよい。
さらに、他の実施の形態として、振動源１０３を設けることなく、打撃面１０１ａ自体を磁性体を含む部材により構成してもよい。つまり、ドラム系のパーツ１０１の打撃面１０１ａは、一般的に合成樹脂（プラスティック）製であるが、この樹脂素材の中に、鉄などの磁性体を混合する。これにより、打撃面１０１ａを叩くことによりピックアップマイク１０２にての収音が可能になる。
なお、これらの中で、振動源１０３を打撃面１０１ａに圧接して取り付ける実施の形態が最も望ましいと思われる。振動源１０３を打撃面１０１ａに接着するのは、接着という手間がかかるとともに、剥離という問題が生じ得るからである。また、打撃面１０１ａを磁性体を含む部材により構成するのは、磁性体を素材に含む打撃面自体を開発する必要性があるからである。これに対して、振動源１０３を打撃面１０１ａに圧接して取り付けるようにすれば、市販されているドラムヘッドをそのまま使用できるために素材開発の必要性がないのみならず、取り付け操作上も手間が余分にかからず、さらに、ネット状になった消音・小音ヘッドも含め、多くの種類のヘッドを自由に選択し、用途に合わせて様々な音づくりが容易にできるという利点があるからである。
ここで、例えば特開昭４８−７４５５号公報には打膜裏面の中央に金属板である振動源を貼る技術が開示されているが、このように中央に配置するのではなく、ピックアップマイク１０２およびこれに対応した振動源１０３は打撃面１０１ａの中央よりオフセットして配置するのがよい。
すなわち、図３１に示すように、演奏者Ｐから見て打撃面１０１ａの向かい側の縁から中央Ｃに２０〜４５％寄った位置に設置するのが望ましい。
これは、以下の理由による。
つまり、打撃面１０１ａの中央Ｃは、演奏者にとって最も頻繁に叩く位置である。すると、振動源１０３を中央Ｃに配置すれば、この振動源１０３を直接叩いたときと、叩き損じたときの音量差が激しくなり、安定した打音を発生させることができない。特に、金属からなる振動源１０３を直接叩けば、金属板の歪みや剥離等の原因となる。
これに対して、振動源１０３を演奏者Ｐから見て打撃面１０１ａの向かい側の縁から中央Ｃに２０〜４５％寄った位置に設置すれば、そこは最も叩かない位置であり、且つ打撃面１０１ａの第一衝撃音だけでない、第二倍音、第三倍音などの減衰音を豊かに収音するに好適な場所であるからである。
なお、前述の特開昭４８−７４５５号公報の第２図に示す円形パッドは、特に大太鼓の様な口径の大きな打膜の振動幅を抑制するためのものであるが、これによれば、柔らかい材質にバネも加えて振動幅を抑制するために音の減衰が抑えられ、音質も曇らせる結果となり、高音部の収音が困難になると思われる。
したがって、ドラムの口径を１４インチ以下にすれば、振動幅が少なくなるとともに、携帯性および取扱性も良好になる。また、磁性体自体を円弧状にすることにより、打撃裏面に対する接面積を接着のとき以下に小さくすることも可能であり、また、振動に対して磁性体の弾力性をもって柔軟に対応できるため、高音部に至るまで十分な収音ができる。
次に、図１８に示すように、シンバルに対応する第１の原音発生部であるパーツ１０７においては、金属製の第１の原音発生部１０８を磁性体を含む部材により構成し、第１の原音発生部１０８の振動を検知できる位置（本実施の形態においては、ステー）にピックアップマイク１０２を取り付ける。この場合、ピックアップマイク１０２と第１の原音発生部１０８との間にスポンジ状の弾性体を配置してもよい。なお、ハイハットシンバルの場合には、図１９に示すように、固定部分である下側のシンバルの近傍にピックアップマイク１０２を取り付ける。
なお、ハイハットシンバルの場合、上下のシンバルは常に共振状態にあるため、下側の円盤状部材であるシンバルのみ第１の原音発生部１０８を採用し、上側の円盤状部材であるシンバルには後述する第２の原音発生部１５２を用いることができる。また、ハイハット下側のシンバルを純鉄製とすれば、コスト面で有利である。
一般に市販されている第２の原音発生部１５２は、スズ、鉛、しんちゅう等の磁気に反応しない部材で作られている。そこで、これに鉄などの磁性体を混合すれば、第１の原音発生部１０８を叩くことによりピックアップマイク１０２にての収音が可能になる。
なお、シンバルに対応するパーツに於ける原音発生部の名称を第１の原音発生部１０８と第２の原音発生部１５２に分けた理由は、磁性体を含むか含まないかの区別を明確化するためのものであり、何れも原音を発生するパーツ、つまり原音発生部という概念で把握されることにかわりはない。但し、シンバル系の場合、ドラム系と異なり、生ドラムと本願のようなアナログ電子ドラムの間に、口径の大小以外の構造的差異がないため、図１９および図３３〜５における説明は、生ドラムのシンバル系に関する第２の原音発生部と捉えることも可能である。
このようなピックアップマイク１０２を用いれば、アタック音のみならず、打撃時における音程、音質、減衰音など全ての音像が、つまりアコースティック音そのものが収音されることになる。
そして、人間の声などパーツ１０１，１０７の周辺で発生した音を拾うことなく、パーツ１０１，１０７そのものだけの音を空間を経由せずに直接拾うことができるので、音の回り込みが防止されて、濁りのないクリアな再生音を得ることができる。
また、空気振動を電流の波動に変換するアナログマイクの場合には、空気の振動を拾っていることから狭い場所に多数設置すると位相の問題が発生するため、調整が複雑になる。しかしながら、本実施の形態のようにピックアップマイク１０２を用いれば位相を自由に扱えるようになるので、複雑な調整は不要になって利便性の向上を図ることが可能になる。
さらに、パーツ毎に音処理を施しやすく、エフェクションもかけやすくなる。
なお、前述のように、ピックアップマイク１０２にはシングルコイルマイクとダブルコイルマイクとがあるが、それぞれを各パーツ毎に複数種類用いてシングルコイルマイクとダブルコイルマイクとを組み合わせてもよい。
この理由は、ピックアップマイクの種類により収音される音質の特性が変わるからである。ダブルコイルマイクは音を太く収音する際に有効であり、シングルコイルマイクは高い音を綺麗に収音する際に有効である。また、マイクのタイプのみならず、コイルの巻き数により音量が大小し、コイルの太さが細い程、高い音が綺麗に収音できるので、シンバルの様な高い音を綺麗に収音するピックアップマイクと、バスドラムの様に太いアタック音を収音するピックアップマイクは、上記のようなピックアップマイクの特性を考慮して、違う種類、もしくは違う太さのコイルの、違う巻き数のピックアップマイクを使用してもよい。
また、これらのピックアップマイク１０２を振動源１０３や打撃面１０１ａ、あるいはシンバルである第１の原音発生部１０８に対して接近離反可能に取り付け、収音効率を適宜調整するようにしてもよい。
ここで、図１９に示すように、ハイハットシンバルにおいては、上下に当接離反可能に取り付けられた上下のシンバルである第２の原音発生部１５２と第１の原音発生部１０８の取付軸周りに、これらを相互に離反させる方向に付勢するばね１２５を開閉の弾力源として設置することができる。なお、ばね１２５の両端には、スポンジ状の弾性体をシンバルとの間に配置してもよい。また、共振を豊かにするために金属部のみで構成しても構わない。
すなわち、従来では、ハイハットシンバルにおける開閉を行うためのばねは、ハイハット開閉ペダルの上部、ハイハットスタンド内部もしくはハイハットスタンド下方の左右両脇部に２本、もしくは手前に１本などの形で取り付けられていた。このような構造によれば、太いパイプ上の筒内部にばねを仕込むため、全体のスタンド自体が巨大化・重量化する。そして、前述したようにばね１２５を上下シンバルの間に配置すれば、ハイハットスタンドの小型化・軽量化を図ることができる。そして、このばね自体が、上下のシンバルを常に共振させる手段ともなる。
このような構造においては、図示するように、ハイハットスタンド１２６をメインスタンド１２７に固定することにより、ハイハットスタンド１２６としてのパイプの長さを短くすることができる。つまり、ばね１２５が上下シンバルの間に配置されているため、ハイハットスタンド１２６としてはメインスタンド１２７との固定部までの長さで足りるからである。なお、上部シンバルを上下させるワイヤ１２８をハイハットスタンド１２６から下方に延ばし、その下端のカギ部をフットペダル１１３に設けられたリング部に係止すれば、フットペダル１１３によりシンバルの開閉動作を行うことができる。また、セッティングもワンタッチで行うことができる。
ここで、本実施の形態において、フットペダルのベース１２９はメインスタンド１２７と相互に固定されて一体化されている。
すなわち、フットペダル１１３が揺動可能に取り付けられたベース１２９をメインスタンド１２７と直接固定し、さらにリンク１３０を介して固定することにより、演奏中のずれが防止される。
そして、このようなメインスタンド１２７との一体型のペダルユニット構造はハイハットシンバルのみならず、図２０に示すように、図８や図３０に示す水平型バスドラムを打撃するためのフットペダルユニット１１０にも適用することができる。なお、図３０のフットペダルユニット１１０を適用した場合の全体図は、後述する図２７に示されている。このようにメインスタンド１２７と一体化すれば、フットペダルユニット１１０が安定化し、演奏中のずれが防止される。
なお、図２７においては所定のドラムあるいはシンバルを支持しているメインスタンド１２７を利用し、これにフットペダルユニット１１０を一体化させているが、フットペダルユニット１１０専用のメインスタンド１２７を設けてもよい。
ピックアップマイク１０２の取付構造は、生ドラムセットや前述のパーカッション類にも採用することができる。つまり、図１６に対応する取付構造は、図２１に示すように、打撃面１０９ａならびにこの打撃面１０９ａと筐体１０９ｂとで形成された中空構造の共鳴室を備えた生ドラムセットのドラム系の各パーツ（第２の原音発生部）１０９における打撃面１０９ａの裏面に粘着剤により振動源１０３を接着し、筐体１０９ｂの内側に取り付けられた設置板１３１上にピックアップマイク１０２を取り付け、ピックアップマイク１０２で収音した音をアンプ１０４で増幅してスピーカ１０５で再生するようにする。これによれば、大音量の必要な演奏会場において聴衆に十分な音量を届けることができる。なお、ピックアップマイク１０２は打撃面１０９ａに対して接近離反可能に取り付けてもよい。
同様にして図１７、図１８、および後述する図３３〜図３５に対応する取付構造を生ドラムセットに採用できることはもちろんである。したがって、シンバル系のパーツにおいては、磁性体を含む金属製の円盤状部材が第１の原音発生部であり、磁性体を含まない市販されているシンバル、もしくはそれと素材を同じくするものが第２の原音発生部である。
シンバル系に対応するパーツに設けられたピックアップマイクの取付構造のさらに他の一例を図３３〜図３５を用いて説明する。
前述したように第１の原音発生部１０８を磁性体を含む部材により構成することは、音色が変化してしまう可能性が考えられる。そして、磁性体を含んでも音色の変化しない部材を開発するには多大な費用を要することもある。
そこで、既に市販されているシンバルを用いたピックアップマイクによる収音ができれば望ましい。
図３３および図３４に示す技術はこのような観点からなされたもので、金属製の磁性体を含まない第２の原音発生部１５２と、この第２の原音発生部１５２に当接され、第２の原音発生部１５２の振動により振動する薄い金属板からなる共振磁性体（振動源）１３３と、共振磁性体１３３の振動を電気的に増幅させ得るピックアップマイク１０２とからなる。ピックアップマイク１０２とスタンド部１３５との間にはゴム部材１３６および防振器具１３６ｂが配置されており、スタンド部１３５から伝達されてくる他のパーツの振動が共振磁性体１３３に伝達されないように配慮されている。
このような防振用具１３６ｂを各パーツとスタンド部の中間に設置することは、各パーツの原音を純粋に単体で収音する上で非常に有効であるため、他のパーツにもこのような構造を適用することができる。
なお、ピックアップマイク１０２はゴム部１３６から上方に延びるステー１３７に固定されており、ステー１３７の先端に取り付けられた逆Ｕ字形のクランパ１３４の中央から上方に突出したねじ部１３８に対して第２の原音発生部１５２を挿し込む構成となっている。また、ねじ部１３８の最下部にはスポンジ部が設けられ、さらに第２の原音発生部１５２の上面にもスポンジ１３９が取り付けられている。
ここで、図３５（ａ）に示すように、共振磁性体１３３はその両側がカギ状になっており、図３５（ｂ）に示すように、ねじ部１３８にこの部分を引っかけ、ねじ部１３８の下端に位置するクランバ１３４と、そこから突き出たねじ部１３８の最下層に挿し込まれたスポンジ部１３９を全体的に覆うようにして丸める。ねじ部１３８はクランパ１３４の一部、もしくはボルトによりクランバ１３４と接合されている。図３５（ｃ）は、共振磁性体１３３の両端かぎ部が、ねじ部１３８に引っかかった状態を上部より見たものを示している。この状態に共振磁性体１３３を設置した後に第２の原音発生部１５２を共振磁性体１３３に当接する形でねじ部１３８に挿し込む。そして、第２の原音発生部１５２であるシンバルの上部にスポンジ１３９およびワッシャを差し込んで手締めボルト１３８ｂによりねじ止めする。
このように共振磁性体１３３を第２の原音発生部１５２であるシンバルに直接当接させることにより、シンバルに対して何も取り付ける必要もなく、音の減衰を殺すこともなく、シンバルの振動を音像全体で共振磁性体１３３に共鳴させることができる。これにより、ピックアップマイク１０２には、共振磁性体１３３の振動で発生する誘導電流が流れるので、空気の振動を経由せずに、高音部に至るまでの綺麗なシンバルの音を収音することが可能になる。
このような薄い金属板からなる共振磁性体はドラムのパーツにも適用することができる。
ここで、図３６はドラム系に対応するパーツ１０１，１１７に設けられたピックアップマイクの取付構造のさらに他の一例を示す説明図、図３７は図３６における共振磁性体の取付構造を示す説明図である。
図３７に示すように、上方に隆起するように共振磁性体（振動源）１４０を丸めてその両端穴部にねじ製の支柱１４２を挿通する。また、このような共振磁性体１４０で覆われる位置にピックアップマイク１０２を配置して同じように支柱１４２に挿通する。そして、これらの支柱１４２を台座１４３に固定し、パーツ１０１の胴部１４１の内側に上下動可能に取り付けられた略Ｌ字形のステー１４４に対して、台座１４３を打撃面１０１ａと平行な方向に移動可能に取り付ける。このとき、共振磁性体１４０が打撃面１０１ａの裏面に所定の力で圧接されるように、ステー１４４を上下方向に調節する。
これによれば、図１７に示す場合と同様に、打撃面１０１ａの打撃振動が共振磁性体１４０を振動させ、その振動をピックアップマイク１０２が拾う。
なお、台座１４３の移動範囲は、前述した図３１に示すように、演奏者Ｐから見て打撃面１０１ａの向かい側の縁から中央Ｃに２０〜４５％寄った範囲内とすることができる。
ここで、図３８、図４１および図４２に示すように、台座１４３にボルト部１４５を設け、共振磁性体１４０の固定されたねじ製の支柱１４２を伸縮可能にすれば、共振磁性体１４０の打撃面１０１ａに対する圧接力およびピックアップマイクに対する距離が調整可能となり、より細かな音のチューニングが可能になる。
なお、このような圧接力およびピックアップマイクに対する距離の調整は、図３９および図４０に示すように、共振磁性体１４０を支持台１４６に取り付け、この支持台１４６を打撃面１０１ａに対して接近離反可能に台座１４３に取り付けることで、あるいは台座１４３そのものを打撃面１０１ａに対して接近離反可能な構造とすることでも達成される。
なお、図３６、図３８〜図４２に示すように、共振磁性体１４０の形状としては、ほぼ丸に近いのもの（図３６、図３８）、アーチ型のもの（図３９、図４１）、あるいは一方の端部だけを支持した放物線状のもの（図４０、図４２）などが考えられる。
これらは磁性体の弾力性を活かした形状であり、これにより打撃時の衝撃により打撃面から磁性体が離れることを防ぎ、且つ打撃面の減衰を損なわない微妙な調整が可能となる。
なお、以上の説明においては、共振磁性体１３３，１４０は薄い金属板から構成されていることとしたが、ホワイトボートに用いられるスチールペーパーのような磁性体を含むシート材やフィルム材などのように、磁性体を含んで共振しやすい板状のものであれば、種々の部材を適用することが可能である。
ここで、金属板は高音部の伝達に優れているために、高音部の張りが求められるスネアドラムやシンバル等に当接する磁性体に適しており、スチールペーパーの様なシート材は中低音の伝達に優れ、さらに弾力性に富んでいるため、ドラム系の打撃振幅への対応や長い減衰音の維持に長けている。この様に磁性体の特性自体が、ピックアップマイクの種類同様、収音する原音に影響が深いため、複数種類の磁性体をパーツ毎に適宜選択するようにすれば、演奏家の創造性を一層豊かにすることができる。
さらに、図３７および図３８に示すように、共振磁性体１４０をより振動させるために、支柱１４２に挿通してボルト１４８で固定する際に、共振磁性体１４０のねじ穴部の前後にスポンジ・ゴムなどのワッシャー的な部品１４７をはさむことは、図３８〜図４２においても可能である。
音調整部２６における操作パネルの一例を図２２に示す。
図示するように、右側シンバル（Ｒ．Ｃ．）、左側シンバル（Ｌ．Ｃ．）およびハイハットシンバル（ＨＨ）の金属楽器、バスドラム（Ｂ．Ｄ．）およびスネアドラム（Ｓ．Ｄ．）のリズム系ドラム、ハイ・ミディアム・ローのタムドラム（Ｈ．Ｔ．、Ｍ．Ｔ．、Ｌ．Ｔ．）の装飾演奏系ドラムと３つにグループ化し、これらのグループ毎に原音調整的エフェクト、空間作成的エフェクトおよび装飾的エフェクトを指定してこれらをデータとして保存するようにしている。これにより、楽曲毎にスイッチングでエフェクションを調整できる。なお、このような音調整部２６と他の機器との接続は、複数のワイヤで接続してもよく、たとえばＩＥＥＥ１３９４と呼ばれる一本のワイヤで接続してもよい。
以上説明したドラム系のパーツおよびシンバル系のパーツが収納されるアナログ電子ドラムセット用収納部材兼演奏用座椅子を図２３に示す。
図示するように、アナログ電子ドラムセット用収納部材１１８は、ドラム系およびシンバル系の各パーツがそれぞれ載置される複数のプレート１１９と、これらのプレート１１９を積層保持する複数（本実施の形態では３本）の保持部材１２０と、プレート１１９に載置された各パーツを固定するとともにプレート１１９の間に位置してプレート間にパーツ収納空間を形成する固定部材１２１とから構成されている。
すなわち、図２４〜図２６に示すように、各プレート１１９には保持部材１２０が貫通するリング１２２が取り付けられており、固定部材１２１を用いてプレート１１９にパーツを固定した後に保持部材１２０でリング１２２を通すと、図２３に示すように、ドラム系およびシンバル系の各パーツが一体収納され、搬送が容易になる。なお、図２４はタムドラムやスネアドラムなどの小型のドラム系パーツが固定された状態が、図２５はバスドラムなど大型のドラム系パーツが固定された状態が、図２６はシンバル系パーツが固定された状態が、それぞれ示されている。
ここで、アナログ電子ドラムセット用収納部材は、図４３〜図４５に示すような構造とすることもできる。
つまり、図４３に示すように、三脚形の保持部材１２０の２本に、縦方向を向いたリング部１５３を同じ高さに取り付けるとともに、残りの１本には、これらと同じ高さの係止部１４９を設ける。一方、プレート１１９には、図４４および図４５に示すように、ドラムあるいはシンバルの収容される箱状あるいは袋状のソフトケースのような収容部１４７を取り付けるとともに、前述の２つのリング部１５３に挿通される棒部１５０を取り付け、さらに開閉可能でその中心もしくは下端が係止部１４９に当接するリング１２２を取り付ける。
このようにすれば、プレート１１９に取り付けられた棒部１５０を２カ所のリング部１５３に挿入するとともにリング１２２を開いて係止部１４９に当接していない状態にすれば、プレート部１１９が棒部１５０を支点に自由回転できるので、収容部１４７から素早く各パーツ楽器等を出し入れすることができる。
なお、保持部材１２０である脚を４本とすることも可能である。その場合には、係止部１４９を設ける脚が２本でプレート１１９は四角くなり、リング１２２が２角に設置されることになる。
以上説明した本実施の形態に係るドラムセットを図２７に示す。
なお、図２７に示される実施の形態において、第１のタムドラムの口径（サイズ）は６インチ、第２のタムドラムの口径は８インチ、第３のタムドラムの口径は１０インチ、バスドラムの口径は１２〜１４インチ、スネアードラムの口径は８インチに設定され、ハイハットシンバルの口径が６〜８インチ、クラッシュシンバルの口径が８〜１０インチ、ライドシンバルの口径が１０〜１２インチに設定されている。一方、一般に市販されている生ドラムセットは、標準仕様でタムドラムは１２インチ・１３インチ・１６インチ、バスドラムは２２インチ、スネアードラムは１４インチに設定され、ハイハットシンバルが１４インチ、クラッシュシンバルが１６〜１８インチ、ライドシンバルが２０〜２２インチに標準設定されている。したがって、本実施の形態では、全てのパーツの口径が、標準の生ドラムに比べて全体的に明らかに小さいものとなっている。これは、このアナログ電子ドラムの利便性や携帯性と原音発生体を小音量化するための設計であるが、必ずしもこの口径に限定されるものではない。つまり、より小さな口径に設定しても、多少大きな口径に設定してもよい。
なお、本実施の形態では、アナログ電子ドラムセット用収納部材にはドラム系パーツおよびシンバル系パーツの全てのパーツが収容可能となっているが、何れかのパーツが収容可能となっていればよい。また、音調整部２６がさらに収容可能になっていてもよい。
本実施の形態において、固定部材１２１を上下方向に配置した場合における上面には、着座部１２３が取り付けられている。これにより、アナログ電子ドラムセット用収納部材１１８を椅子としても利用することができる。
なお、固定部材１２１を上下方向に配置した場合における保持部材１２０の下端にローラを取り付ければ、アナログ電子ドラムセット用収納部材１１８を転がして運ぶこともできる。さらに、側方に取っ手を取り付ければ、手での持ち運びも可能になる。また、保持部材１２０は、回転ねじ式着脱・三脚型伸縮などの方式により、座椅子として使用する際の演奏者の座高にあった高さに調整可能となっており、さらに運搬時の長さの縮小も可能となっている。
以上説明したように、本発明に係るアナログ電子ドラムセットによれば、各パーツは生ドラムセットのように大音量を必要とせず、むしろできるだけ小音量のパーツとすることにより、例えば室内の練習などでも周囲に迷惑のかからない小音でこれを行うことができることとなる。これは一方で全体を小形化することが可能となることを意味し、持ち運びの便利化や省スペース化も達成される。
さらに、その再生の段階では、演奏者の打撃のタッチをそのまま生かしつつ再生可能で、且つ生のドラムに近い音質の大音量のものとすることが可能であることは勿論であるが、これに限らず、生ドラムにこだわらない第１の原音発生部１００の打撃音に基づいた独自の新たなアナログ楽器として捉えることもできる。
産業上の利用可能性
本発明は上記の如き構成であり、実際の打撃を防音設備の必要のない小さい音とするという従来の電子ドラムの特徴を維持しつつ演奏者にとって演奏動作から再生までの間におけるタイムラグを意識することなく、さらに演奏者のスティック操作の変化に細かく追従して再生音を発生させることができる。
したがって、従来の電子ドラムの長所を生かしつつ欠点を解消すると共に打撃系の新なアナログ電子楽器としての活用性も生まれる。
【図面の簡単な説明】
図１は、本発明の実施の形態に係るドラムセットを示す概略を示す構成図であり、
図２は、ドラムに対応するパーツの構成を示す説明図であり、
図３は、ドラムに対応するパーツのヘッドの張り方の一例を示す説明図であり、
図４は、ドラムに対応するパーツへのマイクロフォンの取り付けの一例についての説明図であり、
図５の（Ａ）および（Ｂ）はスネアドラムに対応するパーツに用いられるスナッピーおよびその取り付けを示す説明図であり、
図６は、バスドラムに対応するパーツの一実施の形態の構成を示す説明図で、（Ａ）は斜視図、（Ｂ）は概略断面図であり、
図７の（Ａ）および（Ｂ）は図６および図１０に示したバスドラム対応パーツを演奏する際に用いる用具を示す説明図であり、
図８は、本実施の形態のバスドラムに対応するパーツに用いられるフットペダルユニットの一例を示す斜視図であり、
図９は、図８および図３０の動作説明図であり、
図１０は、図８および図３０のフットペダルユニットで打撃されるドラムを示す斜視図であり、
図１１は、図８および図３０のフットペダルユニットと図１０のドラムとを使用する場合に用いられる固定具を示す説明図であり、
図１２は、図８および図３０のフットペダルユニットの使用形態の一例を示す説明図であり、
図１３は、本実施の形態である図１０のバスドラムに対応するパーツに既存のフットペダルユニットを転用する場合の設置例を示す斜視図であり、
図１４は、シンバルに対応するパーツの一実施の形態を示す説明図であり、
図１５は、ドラム系に対応するパーツを示す斜視図であり、
図１６は、図１５に設けられたピックアップマイクの取付構造の一例を示す説明図であり、
図１７は、図１５に設けられたピックアップマイクの取付構造の他の一例を示す説明図であり、
図１８は、シンバル系に対応するパーツに設けられたピックアップマイクの取付構造の一例を示す説明図であり、
図１９は、シンバル系に対応するパーツに設けられたピックアップマイクの取付構造の他の一例およびフットペダルを示す説明図であり、
図２０は、本実施の形態のバスドラムに対応するパーツに用いられるフットペダルユニットの他の一例を示す斜視図であり、
図２１は、生ドラムセットに設けられたピックアップマイクの取付構造の一例を示す説明図であり、
図２２は、本実施の形態における音調整部における操作パネルの一例を示す説明図であり、
図２３は、本実施の形態におけるドラム系のパーツおよびシンバル系のパーツが収納されるアナログ電子ドラムセット用収納部材兼演奏用座椅子の一例を示す説明図であり、
図２４は、図２３のアナログ電子ドラムセット用収納部材において、小型のドラム系パーツが固定された状態を示す説明図であり、
図２５は、図２３のアナログ電子ドラムセット用収納部材において、大型のドラム系パーツが固定された状態を示す説明図であり、
図２６は、図２３のアナログ電子ドラムセット用収納部材において、シンバル系パーツが固定された状態を示す説明図であり、
図２７は、本発明の実施の形態に係るドラムセットを示す斜視図であり、
図２８は、従来の電子ドラムの主要構成を示す説明図であり、
図２９は、一般的な生ドラムセットの構成を示す説明図であり、
図３０は、本実施の形態のバスドラムに対応するパーツに用いられるフットペダルユニットの他の一例を示す斜視図であり、
図３１は、本発明の一実施の形態であるピックアップマイクの取付構造の一例を平面的に示す説明図であり、
図３２は、ドラムに対応するパーツを打撃する本発明の一実施の形態であるドラムスティックの一例を示す説明図であり、
図３３は、シンバル系に対応するパーツに設けられたピックアップマイクの取付構造のさらに他の一例を示す説明図であり、
図３４は、図３３を平面方向に９０度角度を変えた方向から示す説明図であり、
図３５は、図３４の取付構造における共振磁性体を示す説明図であり、
図３６は、ドラム系に対応するパーツに設けられたピックアップマイクの取付構造のさらに他の一例を示す説明図であり、
図３７は、図３６における共振磁性体の取付構造を示す説明図であり、
図３８は、ドラム系に対応するパーツに設けられたピックアップマイクの図３６および図３７のさらに詳細を表記した説明図であり、
図３９は、ドラム系に対応するパーツに設けられたピックアップマイクの取付構造のさらに他の一例を示す説明図であり、
図４０は、ドラム系に対応するパーツに設けられたピックアップマイクの取付構造のさらに他の一例を示す説明図であり、
図４１は、ドラム系に対応するパーツに設けられたピックアップマイクの取付構造のさらに他の一例を示す説明図であり、
図４２は、ドラム系に対応するパーツに設けられたピックアップマイクの取付構造のさらに他の一例を示す説明図であり、
図４３は、本実施の形態におけるドラム系のパーツおよびシンバル系のパーツが収納されるアナログ電子ドラムセット用収納部材兼演奏用座椅子の他の一例を示す説明図であり、
図４４は、図４３のアナログ電子ドラムセット用収納部材のケース部を示す説明図であり、
図４５は、図４３のアナログ電子ドラムセット用収納部材においてケース部が取り付けられた状態を示す説明図である。
【図１】
2002021504.tif 000003
【図２】
2002021504.tif 000004
【図３】
2002021504.tif 000005
【図４】
2002021504.tif 000006
【図５】
2002021504.tif 000007
【図６】
2002021504.tif 000008
【図７】
2002021504.tif 000009
【図８】
2002021504.tif 000010
【図９】
2002021504.tif 000011
【図１０】
2002021504.tif 000012
【図１１】
2002021504.tif 000013
【図１２】
2002021504.tif 000014
【図１３】
2002021504.tif 000015
【図１４】
2002021504.tif 000016
【図１５】
2002021504.tif 000017
【図１６】
2002021504.tif 000018
【図１７】
2002021504.tif 000019
【図１８】
2002021504.tif 000020
【図１９】
2002021504.tif 000021
【図２０】
2002021504.tif 000022
【図２１】
2002021504.tif 000023
【図２２】
2002021504.tif 000024
【図２３】
2002021504.tif 000025
【図２４】
2002021504.tif 000026
【図２５】
2002021504.tif 000027
【図２６】
2002021504.tif 000028
【図２７】
2002021504.tif 000029
【図２８】
2002021504.tif 000030
【図２９】
2002021504.tif 000031
【図３０】
2002021504.tif 000032
【図３１】
2002021504.tif 000033
【図３２】
2002021504.tif 000034
【図３３】
2002021504.tif 000035
【図３４】
2002021504.tif 000036
【図３５】
2002021504.tif 000037
【図３６】
2002021504.tif 000038
【図３７】
2002021504.tif 000039
【図３８】
2002021504.tif 000040
【図３９】
2002021504.tif 000041
【図４０】
2002021504.tif 000042
【図４１】
2002021504.tif 000043
【図４２】
2002021504.tif 000044
【図４３】
2002021504.tif 000045
【図４４】
2002021504.tif 000046
【図４５】
2002021504.tif 000047
【国際調査報告】
2002021504.tif 000048
2002021504.tif 000049
2002021504.tif 000050